(57)【特許請求の範囲】
【請求項１】
ベース体とカバー体とに分割され、その内部に制御基板を収納する収納空間を有する制御基板ケースにおいて、
その内部に前記収納空間を有する基板収納部と、
前記基板収納部に隣接して設けられ、前記制御基板を収納した状態で前記ベース体と前記カバー体とを、当該ベース体またはカバー体のいずれか一方の破壊を伴わなければ解除不能に封印する封印手段が形成された封印部と、
前記ベース体そのものが加工されることにより当該ベース体に直接的に形成された符号素体と、前記カバー体そのものが加工されることにより当該カバー体に直接的に形成された符号素体との組み合わせにより所定の識別符号を成すケース識別部とを備え、
前記ケース識別部は、前記封印部における前記ベース体と前記カバー体との分割線の一部を含む所定の符号形成領域に形成され、
前記封印部は、前記封印手段が配置される配置空間を有し、前記ベース体に突出形成されたベースフランジ部と、前記カバー体に突出形成され前記ベースフランジ部に係合するカバーフランジ部と、不正の痕跡を目視確認可能にさせる透明なのぞき窓とを備え、
係合状態の前記両フランジ部が成す前記分割線の一部は、前記両フランジ部の突出方向に直交する方向に形成されるとともに、前記ケース識別部は、当該分割線の一部を含む前記符号形成領域に形成され、
前記符号形成領域が、前記基板収納部との間で前記のぞき窓を挟むように、前記封印部における前記基板収納部の反対側に配置されるとともに、当該のぞき窓と略同一平面上で近接して配置されていることを特徴とする制御基板ケース。
【請求項２】
請求項１に記載の制御基板ケースを備えるスロットマシンであって、
前方側が開放されてその内部に前記制御基板ケースが取り付けられる筐体と、
前記筐体の開放部分に開閉自在に閉塞する前扉とを備え、
前記のぞき窓は、前記制御基板ケースを前記筐体から不正に取り外す不正の痕跡を目視可能にさせる機能を有することを特徴とするスロットマシン。
【発明の詳細な説明】
【技術分野】
【０００１】
本発明は、内部の収納空間に制御基板を収納する制御基板ケースおよびこの制御基板ケースを備えるスロットマシンに関する。
【背景技術】
【０００２】
パチンコ機やスロット機等の遊技機の制御基板は、不正防止の観点から透明な樹脂製基板ケースの内部に収納されて、遊技機の内部に配設されるのが一般的である。この種の制御基板ケースは、通常、一組のベース部材とカバー部材とで構成され、内部に制御基板を収納した状態で、両部材同士をねじやかしめ等により強固に連結するとともに、両部材同士の連結が不正に解除された場合には、その痕跡が残るような封印機構が設けられたものが広く採用されている。
【０００３】
この種の封印機構の中には、例えば、ベース部材とカバー部材とにより形成される内部の収納空間内に、ねじなどの連結具を配設し、両部材の少なくとも一方を破壊しなければ、当該連結具にアクセスすることができないように構成されたものがある。このような制御基板ケースによると、正規の制御基板が不正基板に取り替えられた場合に、制御基板ケースの破壊状態を確認することで、直ちに不正行為を検知することができ、被害の拡大を防止することができる。
【０００４】
しかしながら、例えば、二組の制御基板ケースを使用して、一方はベース部材側のみを破壊し、他方はカバー部材のみを破壊して、破壊されていない両部材同士を組み合わせて新たな制御基板ケースを複製するような巧妙な不正行為によれば、正規の制御基板から不正な制御基板に入れ替えられた場合であっても、その痕跡の発見が困難になり、被害が拡大するおそれがある。
【０００５】
そこで、従来では、ベース部材とカバー部材とで構成された制御基板ケースにおいて、上記した巧妙な不正行為が行われても、その行為を早期に発見することができる制御基板ケースが提案されている（特許文献１参照）。この制御基板ケースでは、両部材それぞれで、突出形成されたフランジ部が設けられ、これらの両フランジ部が横並びに隣接配置される。そして、当該両フランジ部の境界線の一部を含む制御基板ケースの所定領域に、両部材が正規な組み合わせであるか否かを示す識別符号を成すケース識別部が設けられる。
【０００６】
このように構成すると、上記した巧妙な不正行為が行われた場合に、識別符号の形態が正規な制御基板ケースのものから変化することになるため、両部材が正規な組み合わせであるか否かを、ケース識別部の目視により容易に確認することができる。したがって、上記した巧妙な不正行為を早期に発見することができ、これにより、被害が拡大するのを防止することができる。
【先行技術文献】
【特許文献】
【０００７】
【特許文献１】特開２０１０−１７８９９８号公報（段落００２０、図４等参照）
【発明の概要】
【発明が解決しようとする課題】
【０００８】
ところで、上記したケース識別部の識別符号を、例えば、油性ペン等によって形成すると、容易に識別符号の削除・複製が可能であるため、不正防止の観点から好ましくない。そこで、制御基板を収納して封印した状態で、当該識別符号を例えば焼印のような加熱処理やレーザ加工などによって形成することが考えられるが、上記した従来の制御基板ケースでは、ケース識別部が形成される両フランジ部が、制御基板を収納する基板収納部に近接配置されているため、識別符号の形成時の熱またはレーザ光などが制御基板の各部品等に影響を及ぼすおそれがある。
【０００９】
また、この種の制御基板ケースでは、不正行為の有無の確認を、封印機構の封印状態およびケース識別部の両方の目視確認により行うことになるが、従来の制御基板ケースでは、封印機構が両フランジ部と離れて配置されているため、封印機構の封印状態の目視確認と両部材の整合性の目視確認とを個別に行う必要があり、作業性が悪い。また、制御基板ケースを筐体内部に配設した後、封印機構およびケース識別部の両方の目視確認を容易に行うことができるようにする場合、筐体内部に配設される制御基板ケースおよび各種装置のレイアウト構成に制約を受けやすい。
【００１０】
本発明は、上記課題に鑑みてなされたものであり、不正行為を防止するための識別符号の形成時の熱やレーザ光などが、制御基板の各部品に影響を及ぼすのを防止するとともに、不正行為の有無の確認作業を円滑に行うことができる制御基板ケースを提供することを目的とする。
【課題を解決するための手段】
【００１１】
上記目的を達成するために、本発明にかかる制御基板ケースはベース体とカバー体とに分割され、その内部に制御基板を収納する収納空間を有する制御基板ケースにおいて、その内部に前記収納空間を有する基板収納部と、前記基板収納部に隣接して設けられ、前記制御基板を収納した状態で前記ベース体と前記カバー体とを、当該ベース体またはカバー体のいずれか一方の破壊を伴わなければ解除不能に封印する封印手段が形成された封印部と、前記ベース体そのものが加工されることにより当該ベース体に直接的に形成された符号素体と、前記カバー体そのものが加工されることにより当該カバー体に直接的に形成された符号素体との組み合わせにより所定の識別符号を成すケース識別部とを備え、前記ケース識別部は、前記封印部における前記ベース体と前記カバー体との分割線の一部を含む所定の符号形成領域に形成され、前記封印部は、前記封印手段が配置される配置空間を有し、前記ベース体に突出形成されたベースフランジ部と、前記カバー体に突出形成され前記ベースフランジ部に係合するカバーフランジ部と、不正の痕跡を目視確認可能にさせる透明なのぞき窓とを備え、係合状態の前記両フランジ部が成す前記分割線の一部は、前記両フランジ部の突出方向に直交する方向に形成されるとともに、前記ケース識別部は、当該分割線の一部を含む前記符号形成領域に形成され、前記符号形成領域が、前記基板収納部との間で前記のぞき窓を挟むように、前記封印部における前記基板収納部の反対側に配置されるとともに、当該のぞき窓と略同一平面上で近接して配置されていることを特徴としている。
【００１２】
この場合、ベース体とカバー体とに分割された制御基板ケースにおいて、制御基板を収納した状態でベース体とカバー体とを封印手段により封印する封印部が、制御基板を収納する基板収納部に隣接して設けられ、前記封印部におけるベース体とカバー体との分割線の一部を含む所定の符号形成領域にケース識別部が形成される。このように基板収納部に隣接する封印部にケース識別部を形成すると、基板収納部に近接配置されたベース体およびカバー体のフランジ部にケース識別部を形成する従来の制御基板ケースと比較して、制御基板とケース識別部とを離すことができるため、例えば、制御基板を収納した状態で焼印やレーザ加工などでケース識別部の識別符号を形成した場合であっても、その時の熱やレーザ光が制御基板の各部品に対して影響を及ぼすのを防止することができる。また、封印部にケース識別部を形成すると、封印手段とケース識別部とが近接配置されるため、封印機構の異常の有無の目視確認と、ケース識別部でのベース体とカバー体との整合性の目視確認とを一度に行うことができ、これにより、不正行為の有無の確認作業の円滑化を図ることができる。また、封印部において、ベース体にベースフランジ部が突出形成されるとともに、カバー体にカバーフランジ部が突出形成される。ここで、係合状態の両フランジ部が成す分割線の一部は、当該両フランジ部の突出方向に直交する方向に形成されるとともに、ケース識別部が、当該分割線の一部を含む前記符号形成領域に形成される。このように構成すると、封印部のベース体とカバー体にフランジ部を設けずにケース識別部を形成する場合と比較して、ケース識別部と制御基板との距離を離すことができるため、制御基板の各部品に対して熱やレーザ光が影響するのを防止する効果が向上する。また、符号形成領域が両フランジ部の突出方向に直交する方向に形成されるため、両フランジ部の突出長を過度に大きくすることなくケース識別部を形成するスペース（符号形成領域）を確保することができる。また、封印部が透明なのぞき窓を備えるため、封印手段での封印状態の目視確認作業を容易に行うことができる。また、のぞき窓と符号形成領域とが略同一平面上に近接して配置されるため、封印状態の目視確認作業およびケース識別部におけるベース体とカバー体との整合性の目視確認作業を円滑に行うことができる。
【００１３】
また、本発明にかかるスロットマシンは、制御基板ケースを備えるスロットマシンであって、前方側が開放されてその内部に前記制御基板ケースが取り付けられる筐体と、前記筐体の開放部分に開閉自在に閉塞する前扉とを備え、前記のぞき窓は、前記制御基板ケースを前記筐体から不正に取り外す不正の痕跡を目視可能にさせる機能を有することを特徴としている。この構成によると、筐体の内部に制御基板ケースが取り付けられるスロットマシンにおいて、のぞき窓により、制御基板ケースを筐体から不正に取り外す不正の痕跡を目視で確認することができる。
【図面の簡単な説明】
【００２６】
【図１】本発明が適用されるスロットマシンの前扉を開放した状態の斜視図である。
【図２】本発明の一実施形態に係る制御基板ケースのスロットマシンの筐体内に取り付けた状態の正面図である。
【図３】メイン制御基板ケースの正面図である。
【図４】メイン制御基板ケースの分解斜視図である。
【図５】ロック部材の配設側から見たときのメイン制御基板ケースの分解斜視図である。
【図６】ロック部材の配設側から見たときのメイン制御基板ケースの分解斜視図である。
【図７】ロック部材の斜視図である。
【図８】カバー体の背面図である。
【図９】メイン制御基板ケースの封印部の断面図である。
【図１０】サブ制御基板ケースの正面図である。
【図１１】サブ制御基板ケースの分解斜視図である。
【図１２】本発明の第２実施形態にかかるメイン制御基板の部分斜視図である。
【発明を実施するための形態】
【００２７】
（第１実施形態）
本発明の第１実施形態にかかる制御基板ケース（メイン制御基板ケース７、サブ制御基板ケース１０）が適用される遊技機の一例であるスロットマシン１の概略構成について、図１および図２を参照して説明する。なお、図１はスロットマシン１の前扉を開放した状態の斜視図、図２はスロットマシン１の筐体２の内部に固定した状態のメイン制御基板ケース７およびサブ制御基板ケース１０の正面図である。
【００２８】
（スロットマシンの構成）
スロットマシン１は、図１に示すように、上方に配置された天板２ａと、下方に配置された底板２ｂと、左側に配置された左側板２ｃと、右側に配置された右側板２ｄと、背面側に配置された背板２ｅとで構成され前方側が開放された四角箱型の筐体２を備え、この筐体２の開放部分を閉塞する前扉３が、開閉自在に筐体２に取り付けられている。
【００２９】
また、筐体２の内部には、３つのリール（右リール４Ｒ、中リール４Ｍ、左リール４Ｌ）が並設されてなるリール装置４や、遊技者により外部から投入されたメダルをスロットマシン１の内部に貯留しておくとともに、貯留したメダルをメダル受け皿３００に払い出すためのホッパー装置５や、これらの装置４，５、メイン制御基板１３、サブ制御基板１４などに電源を供給するための電源装置６が設けられている。
【００３０】
また、前扉３の略中央には、図柄表示窓３ａが設けられており、各リール４Ｒ，４Ｍ，４Ｌの周面に付されている図柄の一部を表示可能に形成されている。
【００３１】
また、図１および図２に示すように、その内部の収納空間にメイン制御基板１３を収納したメイン制御基板ケース７およびその内部の収納空間にサブ制御基板１４を収納したサブ制御基板ケース１０が、背板２ｅの内側面の上部に左右横並びで固定される。具体的には、筐体２の背板２ｅの内側面の上部には、図示しないケースホルダが固定されており、両ケース７，１０をこのケースホルダに固定することで、両ケース７，１０がケースホルダを介して筐体２内部に固定される。なお、これらのメイン制御基板ケース７およびサブ制御基板ケース１０については、後で詳述する。
【００３２】
メイン制御基板１３およびサブ制御基板１４それぞれは、その主面にＣＰＵやＲＯＭ、ＲＡＭ等のチップ部品が実装され、スロットマシン１の遊技の進行に必要な各種装置の制御を分担して司るものである。具体的には、リール装置４に対する各リール４Ｒ，４Ｍ，４Ｌの回転・停止の指示や、ホッパー装置５に対するメダルの払出の開始・停止の指示など、遊技の主たる制御をメイン制御基板１３側が行い、基板音声出力装置（図示せず）や映像表示装置（図示せず）による演出など、遊技の従たる制御をサブ制御基板１４側が行っている。
【００３３】
（メイン制御基板ケース）
次に、メイン制御基板ケース７について、図２〜図９を参照して説明する。なお、図３は筐体２内部に固定した状態のメイン制御基板ケース７の正面図、図４はメイン制御基板ケース７の分解斜視図、図５および図６それぞれはロック部材１５０の配設側から見たときのメイン制御基板ケース７の分解斜視図、図７はロック部材１５０の斜視図、図８はメイン制御基板ケース７を筐体２に固定した状態におけるケース体９の背面図、図９は図３に示すＡ−Ａ矢視断面図であり、メイン制御基板ケース７の封印部７ｂの断面図である。
【００３４】
メイン制御基板ケース７は、図２〜図４に示すように、いずれも透明樹脂製のベース体８とカバー体９に分割され、メイン制御基板ケース７内にメイン制御基板１３が収納された後、封印機構１００（本発明の「封印手段」に相当し、詳細については後述する。）によって封印される。このとき、図２に示すように、メイン制御基板ケース７は、その内部にメイン制御基板１３を収納するための収納空間を有する基板収納部７ａと、該基板収納部７ａに隣接して設けられ前記封印機構１００が形成される封印部７ｂと、基板収納部７ａおよび封印部７ｂに隣接して設けられメイン制御基板１３が正規品であることを証明するための封印シール７００が貼り付けられるシール貼付部７ｃとを備える。ここで、図３に示すように、メイン制御基板ケース７を筐体２内部に固定した状態におけるシール貼付部７ｃの前面７ｃ１には、メイン制御基板ケース７の分割線の一部を成すベース体８とカバー体９との境界線が形成されており、封印シールが当該境界線を跨ぐようにシール貼付部７ｃの前面７ｃ１に貼り付けられる。この分割線とは、メイン制御基板ケース７の外表面に現れるベース体８とカバー体９との境界線のことである。なお、ベース体８およびカバー体９それぞれを形成する材料として、アクリロニトリル、ブタジエン、スチレンの共重合合成樹脂であるＡＢＳ樹脂やポリカーボネート等の透明樹脂を用いることができる。
【００３５】
ベース体８は、図４に示すように、基板収納部７ａにおいて、メイン制御基板ケース７が筐体２に固定された状態で当該基板収納部７ａの後面を形成する板状の収納側後壁８ａと、該収納側後壁８ａの周縁に立設された、それぞれ板状の収納側左右側壁８ｂ，８ｃおよび収納側上壁８ｄとを備えた箱状に形成されている。このとき、収納側後壁８ａはメイン制御基板１３を収納するために、メイン制御基板１３の主面の面積よりも若干大きな面積で形成されている。
【００３６】
メイン制御基板１３には、その一方主面にＣＰＵ、ＲＯＭ、ＲＡＭなどのチップ部品が実装されるとともに、電源用や信号送受信用の各種コネクタ１３ａが実装される。また、メイン制御基板１３の四隅に固定孔１３ｂが設けられており、ねじなどの固定手段（図示せず）によりベース体８の収納側後壁８ａに固定される。
【００３７】
カバー体９は、基板収納部７ａにおいて、メイン制御基板ケース７が筐体２に固定された状態で当該基板収納部７ａの前面を形成する板状の収納側前壁９ａと、それぞれ該収納側前壁９ａに立設された、板状の収納側左右内壁９ｂ，９ｃおよび板状の収納側上内壁９ｄとを備える。このとき、収納側左右内壁９ｂ，９ｃおよび収納側上内壁９ｄそれぞれは、ベース体８の収納側左右側壁８ｂ，８ｃおよび収納側上壁８ｄの内側に収まるように配設され、ベース体８にカバー体９を装着した状態で、基板収納部７ａにメイン制御基板１３を収納する収納空間が形成される。また、カバー体９の収納側前壁９ａには、メイン制御基板１３に実装された各種コネクタ１３ａが挿通する複数の挿通孔９１１〜９１５が、それぞれベース体８に固定状態の各種コネクタ１３ａに対応する位置に設けられ、ベース体８およびカバー体９の装着（封印）状態で外部のコネクタを抜き差し可能に構成されている。
【００３８】
ベース体８は、図４に示すように、封印部７ｂにおいて、それぞれ基板収納部７ａの収納側上壁８ｄの外面に立設された板状の封印側左右壁８ｅ，８ｆと、該封印側左右壁８ｅ，８ｆそれぞれに接続された板状の封印側上壁８ｇと、封印部７ｂの後面を形成する板状の封印側後壁８ｈ（図６参照）とを備える。また、封印部７ｂの内部領域である封印側上壁８ｇおよび封印側左右壁８ｅ，８ｆに囲まれた領域には、それぞれ封印側後壁８ｈの内面に立設された２枚の板状の仕切壁８ｉ，８ｊが形成されるとともに、これらの仕切壁８ｉ，８ｊに直交する補強用のリブ８ｋが形成されている。
【００３９】
カバー体９は、図５に示すように、封印部７ｂ（図２等参照）において、メイン制御基板ケース７が筐体２に固定された状態で該封印部７ｂの前面を構成する板状の封印側前壁９ｅと、それぞれ該封印側前壁９ｅに立設された板状の封印側左右内壁９ｆ，９ｇおよび板状の封印側上内壁９ｈとを備える。また、カバー体９の収納側上内壁９ｄと封印側上内壁９ｈとの間には板状の中間壁９ｉが形成されるとともに、該中間壁９ｉに直交する複数（この実施形態では５枚）の板状の仕切壁９２１〜９２５が形成される。この中間壁９ｉは、各仕切壁９２１〜９２５のうち、封印側左内壁９ｆ寄りの隣接した２枚の仕切壁９２１，９２２の間、および、封印側右内壁９ｇ寄りの隣接した２枚の仕切壁９２４，９２５の間で分離されており、これらの仕切壁９２１，９２２、９２４，９２５の隙間に、前述したベース体８側の仕切壁８ｉ，８ｊが挿入可能に構成されている。
【００４０】
封印機構１００は、図５に示すように、ベース体８の封印側上壁８ｇに透設された嵌入孔８１１〜８１４と、ベース体８の封印側上壁８ｇの外面に各嵌入孔８１１〜８１４を囲むように設けられ断面が円形と矩形とを合成した鍵穴のような形状の嵌入筒８２１〜８２４と、カバー体９の中間壁９ｉに透設された係合孔９３１〜９３４と、合成樹脂により複数（この実施形態では４つ）のロックピン１５１〜１５４が一体形成されたロック部材１５０とを備える。そして、この封印機構１００は、ベース体８およびカバー体９のいずれか一方を破壊しなければ、ベース体８とカバー体９との封印状態を解除することができず、さらに、封印状態が解除された場合はその痕跡が残るように構成されている。また、この封印機構１００は、上記したように封印部７ｂ（図２等参照）に設けられている。
【００４１】
この封印機構１００について具体的に説明すると、カバー体９の各係合孔９３１〜９３４それぞれの中心軸は、カバー体９をベース体８に装着した状態で、ベース体８の対応する嵌入孔８１１〜８１４の中心軸と一致するように形成されている。
【００４２】
また、メイン制御基板ケース７を筐体２（図１参照）に固定するためのケースホルダには、ベース体８の収納側後壁８ａに当接する受け面と、該受け面に立設された固定体１９とを有する。この固定体１９は、図５に示すように、板状の本体部１９ａと該本体部１９ａに一体形成されたリブ部１９ｂから成り、本体部１９ａには挿通用透孔１９ｃが透設されている。この挿通孔１９ｃは、カバー体９の係合孔９３１〜９３４とほぼ同じ大きさである。一方、図６に示すように、ベース体８の封印側後壁８ｈであって、収納側後壁８ａ（図４参照）のすぐ外側には、固定体１９（図５参照）の断面形状よりも大きい挿入部８４が透設されている。そして、メイン制御基板ケース７をケースホルダに取り付けるときに、ケースホルダの固定体１９を挿入部８４に挿入すると、固定体１９が嵌挿されて挿通用透孔１９ｃの中心軸がカバー体９の係合孔９３２，９３３と一致するように形成されている。
【００４３】
ロック部材１５０は、図７に示すように、各ロックピン１５１〜１５４が可撓性の連結部材１６によりそれぞれ棒状のロック本体１７に並んで連結されるとともに、このロック本体１７から平板状の挿入片１７１〜１７４がそれぞれ突設されて成る。この挿入片１７１〜１７４は、図６に示すベース体８の封印側上壁８ｇと封印側後壁８ｈとの境界近傍にそれぞれ形成された各間隙８３１〜８３４にそれぞれ挿入され、ベース体８の封印側後壁８ｈの内面に形成されたロック受け部８４１（図４参照）に載せられる。そして、各挿入片１７１〜１７４それぞれに穿設された貫通孔１８にロック受け部８４１に突設された凸部８４２（図４参照）が嵌入した状態で該凸部８４２が加熱溶融されることで、ロック部材１５０がベース体８に固着される。なお、この実施形態では、ロック部材１５０を形成する合成樹脂として、人間の眼に目立つ色（この実施形態では濃い赤色）に着色されたポリプロピレン（ＰＰ）が用いられている。
【００４４】
また、各ロックピン１５１〜１５４は、それぞれ、根元に形成された嵌入部１５ａと、その先端に平面視矢印状に形成された係止部１５ｂと、これらを繋ぐ中央部分に形成された軸状の接続部１５ｃとを備えている。
【００４５】
また、図３に示すように、カバー体９の封印側前壁９ｅには、ロックピン１５１〜１５４を途中の接続部１５ｃ（図７参照）で切断するニッパなどの切断工具を差し込むための矩形の差込口９４１〜９４４が形成されている。この差込口９４１〜９４４は、係合孔９３１〜９３４（図５参照）に対応する位置にそれぞれ設けられている。
【００４６】
また、差込口９４１〜９４４には、カバー体９の封印側前壁９ｅと同一平面上に配置された板状の透明な破断部（本発明における「のぞき窓」に相当）９５１〜９５４が設けられている。この破断部９５１〜９５４は、差込口９４１〜９４４よりも少し小さい矩形で、差込口９４１〜９４４をほぼ閉塞するようにそれぞれ設けられている。また、破断部９５１〜９５４は、それぞれ細かく形成された接続部９５ａを介してカバー体９の封印側前壁９ｅに一体形成されており、これによって容易に破断可能に構成されている。
【００４７】
以上のように構成された封印機構１００では、例えば、図５に示すロックピン１５１〜１５４のうち、紙面左右両端のロックピン１５１，１５４のいずれか一方を対応するベース体８の嵌入孔８１１，８１４およびカバー体９の係合孔９３１，９３４に挿入・嵌入することで、ロックピン１５１，１５４の裾広がりの係止部１５ｂが係合孔９３１，９３４に係止されてメイン制御基板ケース７が封印される。また、左右両端のロックピン１５１，１５４に挟まれた２つのロックピン１５２，１５３のいずれか一方を対応するベース体８の嵌入孔８１２，８１３、カバー体９の係合孔９３２，９３３、ケースホルダの挿通用透孔１９ｃに挿入・嵌入するとで、ロックピン１５２，１５３の裾広がりの係止部１５ｂ（図７参照）が挿通用透孔１９ｃに係止されてメイン制御基板ケース７を封印しつつ、該メイン制御基板ケース７が筐体２（図１参照）に固定される。
【００４８】
そして、このような封印機構１００による封印状態を解除するためには、例えば、カバー体９の破断部９５１〜９５４（図３参照）、あるいは、ベース体８における前記破断部９５１〜９５４に対向する部位を破断させてロックピン１５１〜１５４を切断するなど、ベース体８およびカバー体９のどちらか一方を破壊する必要があり、不正行為があった場合には、その痕跡が残るように構成されている。さらに、ベース体８、および、破断部９５１〜９５４を含むカバー体９が透明樹脂製のため、筐体２の正面からメイン制御基板ケース７を見たときに、嵌入孔８１１〜８１４および係合孔９３１〜９３４に挿入・嵌入しているロックピン１５１〜１５４をはっきりと視認することができる。したがって、ロックピン１５１〜１５４が外部から切断された場合には、その痕跡を明確に把握することができ、不正行為を早期に発見することができる。なお、上記した封印機構１００は一例であり、例えば、ねじによりベース体８とカバー体９とを強固に連結するとともに、この連結が不正に解除された場合には、その痕跡が残るよう封印機構を封印部７ｂに設ける構成であってもかまわない。
【００４９】
ここで、メイン制御基板ケース７をパチンコホールに設置する際の封印プロセスの一例を説明すると、当初内蔵されているメイン制御基板１３上の正規のＲＯＭを取り外して不正な変造ＲＯＭが取り付けられるのを防止するために、例えば、図５に示す、紙面右端のロックピン１５１（１番目のロックピン）をベース体８の嵌入孔８１１、カバー体９の係合孔９３１に挿入・嵌入し、これにより正規のメイン制御基板１３を収納した状態のメイン制御基板ケース７を封印し、この状態でメイン制御基板ケース７をパチンコホールに搬入する。さらに、パチンコホールでは、２番目のロックピンとして、１番目のロックピン１５１の隣のロックピン１５２をベース体８の嵌入孔８１２、カバー体９の係合孔９３２、ケースホルダの挿通用透孔１９ｃに挿入・嵌入し、これにより、メイン制御基板ケース７が筐体２の所定位置に固定されたケースホルダに固定され、封印状態のメイン制御基板ケース７がケースホルダを介して筐体２（図１参照）内部の所定位置に設置される。
【００５０】
そして、監督機関が変造ＲＯＭを取り締まるために、パチンコホールにおいてチェックする際には、カバー体９の封印側前壁９ｅの接続部９５ａを切断することにより、破断部９５１および９５２を封印側前壁９ｅから破断し、ニッパなどの切断工具を差込口９４１および９４２から差し込んで１番目のロックピン１５１および２番目のロックピン１５２の接続部１５ｃを切断することで封印を解除する。切断された各ロックピン１５１，１５２の係止部１５ｂをケースホルダの挿通用透孔１９ｃとカバー体９の係合孔９３１，９３２とから除去すると、メイン制御基板ケース７がケースホルダから取り外し可能になるとともに、カバー体９をベース体８から取り外してメイン制御基板ケース７が開放可能な状態になる。さらにチェックが終了すると、３番目のロックピンとして第２のロックピン１５２の隣のロックピン１５３をベース体８の嵌入孔８１３、カバー体９の係合孔９３３、ケースホルダの挿通用透孔１９ｃに挿入・嵌入することで、メイン制御基板ケース７が封印された状態でケースホルダに固定される。
【００５１】
そして、メイン制御基板１３をメイン制御基板ケース７ごと回収する際には、破断部９５３をカバー体９の封印側前壁９ｅから除去して、切断工具を差込口９４３から差し込んで３番目のロックピン１５３の接続部１５ｃを切断することで封印を解除してメイン制御基板ケース７を筐体２内部から取り出した後、残りの４番目のロックピン１５４をベース体８の嵌入孔８１４、カバー体９の係合孔９３４に挿入・嵌入してメイン制御基板ケース７を封印し、その封印状態のまま搬送して回収する。
【００５２】
以上のように、この実施形態のメイン制御基板ケース７では、上記した封印機構１００を設けることで、不正行為を早期に発見することができるように構成されている。しかしながら、例えば、２つのメイン制御基板ケース７を使用して、一方はベース体８のみを破壊し、他方はカバー体９のみを破壊して、破壊されていないもの同士を組み合わせて新たなメイン制御基板ケース７を複製するような巧妙な不正行為によれば、正規のメイン制御基板１３から不正な制御基板に入れ替えられた場合であっても、その痕跡の発見が困難になり、被害が拡大するおそれがある。そこで、この実施形態では、ベース体８およびカバー体９が正規な組み合わせであるか否かを識別するための識別符号であるケース識別部２０が設けられている。
【００５３】
このケース識別部２０は、図４に示すように、ベース体８に形成された符号素体２０ａとカバー体９に形成された符号素体２０ｂとの組み合わせにより所定の識別符号（この実施形態では「１２３４５６７」：図３参照）を成している。
【００５４】
具体的には、ベース体８は、図４に示すように、メイン制御基板ケース７が筐体２内部に固定された状態における封印部７ｂの封印側上壁８ｇの前端部であって、該封印側上壁８ｇの外面に突出形成された板状のベースフランジ部８ｍを有する。また、カバー体９は、図８に示すように、封印部７ｂにおいて、封印側前壁９ｅ（図４等参照）の端縁から延長するように、封印側左右内壁９ｆ，９ｇおよび封印側上内壁９ｈの外側に突出形成された板状のカバーフランジ部９ｊを有する。
【００５５】
このとき、ベースフランジ部８ｍは、図９に示すように、その厚み方向に段差が設けられており、カバー体９をベース体８に装着すると、カバーフラン部９ｊの基板収納部７ａ（図２等参照）の反対側に突出した部分９ｊ１がベースフランジ部８ｍの段差の下段８ｍ１に載せられて、カバーフランジ部９ｊの当該部分９ｊ１がベースフランジ部８ｍに重合する。また、ベースフランジ部８ｍの段差が、カバーフランジ部９ｊの厚みとほぼ同じ大きさとなるように寸法設定されており、これにより、メイン制御基板ケース７を筐体２（図１参照）に固定した状態における、ベースフランジ部８ｍの上段８ｍ２の前側面と、カバーフランジ部９ｊの前側面と、ベース体９の封印側前壁９ｅの前側面とがほぼ同一平面上に配置されることになる。
【００５６】
そして、図３に示すように、両フランジ部８ｍ，９ｊの重合状態において、前記前側面の境界線Ｌ１が、ベース体８とカバー体９との分割線として、両フランジ部８ｍ，９ｊの突出方向と垂直な方向に形成される。ここで、両フランジ部８ｍ，９ｊの突出方向に直交する方向であって、境界線Ｌ１の一部を含む領域（この実施形態では、境界線Ｌ１の中央部を含むその近傍領域）がケース識別部２０を形成する所定の符号形成領域Ｒ１として設定され、該符号形成領域Ｒ１に、ベース体８のベースフランジ部８ｍに形成された符号素体２０ａとカバー体９のカバーフランジ部９ｊに形成された符号素体２０ｂとの組み合わせにより所定の識別符号を成すケース識別部２０が形成される。
【００５７】
このような構成により、ベース体９の封印側前壁９ｅに一体形成された破断部９５１〜９５４とケース識別部２０とが近接配置されるとともに、これらがほぼ同一平面上に配置されることになる。
【００５８】
（サブ制御基板ケース）
次に、サブ制御基板ケース１０について、図１、図１０および図１１を参照して説明する。なお、図１０は筐体２内部に固定されたケースホルダに固定した状態のサブ制御基板ケース１０の正面図、図１１はサブ制御基板ケース１０の分解斜視図である。
【００５９】
サブ制御基板ケース１０は、上記したメイン制御基板ケース７（図４等参照）とほぼ同じ構成であり、本発明に関連するところを中心に説明する。サブ制御基板ケース１０は、図１に示すように、筐体２に固定されたケースホルダにメイン制御基板ケース７と並んで固定される。
【００６０】
また、サブ制御基板ケース１０は、図１１に示すように、メイン制御基板ケース７と同様、ベース体１１とカバー体１２とに分割されて成り、その内部にサブ制御基板１４を収納するための収納空間を有する基板収納部１０ａと、該基板収納部１０ａに隣接して設けられ、サブ制御基板１４を収納した状態でベース体１１とカバー体１２とを封印機構１００ａ（図１０参照）により封印する封印部１０ｂとを備える。
【００６１】
サブ制御基板１４は、図１１に示すように、メイン制御基板１３と同様、ＣＰＵ、ＲＯＭ、ＲＡＭなどのチップ部品が実装されるとともに、各種コネクタ１４ａが実装される。
【００６２】
封印部１０ｂに設けられる封印機構１００ａは、メイン制御基板ケース７とほぼ同じ構成であるが、サブ制御基板ケース１０では、図１０に示すように、２つのロックピン１５５，１５６が用いられる。そして、両ロックピン１５５，１５６の一方のロックピン１５５は、ベース体１１とカバー体１２とを封印するために用いられ、他方のロックピン１５６は、ベース体１１とカバー体１２とを封印しつつ、サブ制御基板ケース１０をケースホルダに固定するために用いられる。
【００６３】
また、カバー体１２には、図１０に示すように、封印部１０ｂにおいて、メイン制御基板ケース７と同様の構成で差込口９４５，９４６、接続部９５ｂ、破断部９５５，９５６が設けられる。
【００６４】
また、封印部１０ｂは、図１１に示すように、メイン制御基板ケース７と同様、ベース体１１に突出形成されたベースフランジ部１１ａとカバー体１２に突出形成されたカバーフランジ部１２ａをと有する。このとき、ベースフランジ部１１ａには段差が設けられており、カバー体１２をベース体１１に装着したときに、ベースフランジ部１１ａの下段にカバーフランジ部１２ａが載せられて、カバーフランジ部１２ａがベースフランジ部１１ａに重合する。また、ベースフランジ部１１ａの段差は、カバーフランジ部１２ａの厚みとほぼ同じ大きさに寸法設定されており、メイン制御基板ケース７と同様、サブ制御基板ケース１０を筐体２に固定した状態におけるベースフランジ部１１ａの上段の前側面とカバーフランジ部１２ａの前側面とが略同一平面に配置される。
【００６５】
そして、図１０に示すように、両フランジ部１１ａ，１２ａの当該両面（前側面）の境界線Ｌ２が、ベース体１１とカバー体１２との分割線として、両フランジ部１１ａ，１２ａの突出方向と垂直な方向に形成される。ここで、両フランジ部１１ａ，１２ａの突出方向に直交する方向であって、境界線Ｌ２の一部を含む領域がケース識別部３０を形成する所定の符号形成領域Ｒ２として設定され、該符号形成領域Ｒ２に、ベース体１１のベースフランジ部１１ａに形成された符号素体３０ａとカバー体１２のカバーフランジ部１２ａに形成された符号素体３０ｂとの組み合わせにより所定の識別符号（この実施形態では「１２３４５６７」）を成すケース識別部３０が形成される。
【００６６】
このような構成により、サブ制御基板ケース１０もメイン制御基板ケース７と同様、ケース識別部３０と破断部９５５，９５６とが略同一平面上に近接して配置される。
【００６７】
したがって、上記実施形態によれば、ベース体８とカバー体９とに分割されたメイン制御基板ケース７は、封印機構１００が設けられた封印部７ｂが、メイン制御基板１３を収納する基板収納部７ａに隣接して設けられ、封印部７ｂにおいて、ベース体８およびカバー体９それぞれに突出形成された両フランジ部８ｍ，９ｊが成すベース体８とカバー体９との分割線（境界線Ｌ１）の一部を含む符号形成領域Ｒ１にケース識別部２０が形成される。このように基板収納部７ａと離れた封印部７ｂにケース識別部２０を形成することで、基板収納部７ａに近接配置されたベース体８およびカバー体９のフランジ部にケース識別部２０を形成する従来の制御基板ケースと比較して、メイン制御基板１３とケース識別部２０とを離すことができるため、例えば、メイン制御基板１３を収納した状態で焼印やレーザ加工などでケース識別部２０の識別符号を形成した場合であっても、その時の熱やレーザ光がメイン制御基板１３の各部品に対して影響を及ぼすのを防止することができる。
【００６８】
さらに、ケース識別部２０は、封印部７ｂの中でも、メイン制御基板１３との距離がより離れたカバーフランジ部９ｊの基板収納部７ａと反対側に突出した部分９ｊ１に形成されるため、ケース識別部２０の識別符号の形成時の熱やレーザ光がメイン制御基板１３の各部品に対して影響を及ぼすのを防止する効果が高い。
【００６９】
また、封印部７ｂにケース識別部２０を形成することにより、封印機構１００とケース識別部２０とが近接配置されることになるため、封印機構１００の異常の有無の目視確認と、ケース識別部２０でのベース体８とケース体９との整合性の目視確認とを一度に行うことができ、これにより、不正行為の有無の確認作業の円滑化を図ることができる。
【００７０】
また、符号形成領域Ｒ１が両フランジ部８ｍ，９ｊの突出方向に直交する方向に形成されるため、両フランジ部８ｍ，９ｊの突出長を過度に大きくすることなくケース識別部２０を形成するスペース（符号形成領域Ｒ１）を確保することができる。
【００７１】
また、封印部７ｂに透明な破断部９５１〜９５４を設けることで、封印機構１００によるベース体８およびカバー体９の封印状態の目視確認作業を容易に行うことができる。さらに、ケース識別部２０および破壊封印部７ｂそれぞれが、筐体２を閉塞する前扉３を開けたときに目視容易なカバー体９の封印側前壁９ｅの前側面と略同一平面上に形成されるため、不正行為の有無の目視確認作業をより円滑に行うことができる。また、目視確認作業が必要な部分が封印部７ｂに限られるため、筐体２内部に配設する各種装置のレイアウト構成に制約を受けにくい。
【００７２】
また、サブ制御基板ケース１０も、メイン制御基板ケース７と略同じ構成であるため、上記したメイン制御基板ケース７と同様の効果を得ることができる。
【００７３】
（第２実施形態）
本発明の第２実施形態にかかるメイン制御基板ケース７０について、図１２を参照して説明する。なお、図１２はメイン制御基板ケース７０の部分斜視図であり、メイン制御基板ケース７０の封印機構１００が形成された封印部７ｂの斜視図である。
【００７４】
この実施形態にかかるメイン制御基板ケース７０が、図３〜図９を参照して説明した第１実施形態のメイン制御基板ケース７と異なるところは、ベースフランジ部８ｍおよびカバーフランジ部９ｊそれぞれのケース識別部２００の形成部分の厚みが、他の部分よりも厚く形成されていることである。その他の構成は、第１実施形態のメイン制御基板ケース７と同じであるため、同一符号を付すことにより説明を省略する。
【００７５】
ところで、上記した第１実施形態のメイン制御基板ケース７において、ベース体８のベースフランジ部８ｍとカバー体９のカバーフランジ部９ｊに機械的な溝を掘ってケース識別部２０を形成した場合、両フランジ部８ｍ，９ｊの溝を掘った部分が脆弱となり好ましくない。そこで、この実施形態では、両フランジ部８ｍ，９ｊにおいて、ケース識別部２００の形成部分（符号形成領域Ｒ３）の厚みを他の部分よりも厚く形成し、このケース識別部２００に機械的に溝が掘られて識別符号が形成される。
【００７６】
このとき、ベースフランジ部８ｍの符号素体２００ａが、両フランジ部８ｍ，９ｊの突出方向と平行な線状の溝により形成されるとともに、カバーフランジ部９ｊの符号素体２００ｂも、両フランジ部８ｍ，９ｊの突出方向と平行な線状の溝により形成される。また、両符号素体２００ａ，２００ｂは、カバー体９がケース体８に装着され状態で同一直線状に並ぶように形成されており、両符号素体２００ａ，２００ｂが結合して形成された直線ラインが所定の識別符号（ケース識別部２００）として形成される。なお、この識別符号は一例であり、例えば、第１実施形態と同様に、識別符号として「１２３４５６７」の数字が表示されるように、機械的手法により溝を掘るようにしてもよい。なお、この実施形態のケース識別部２００の構成をサブ制御基板ケース１０にも適用することができる。
【００７７】
このように、ケース識別部２００を形成する部分を肉厚で形成することで、焼印やレーザ光を用いずに、識別符号を形成することができる。なお、ケース識別部２００を第１実施形態のメイン制御基板ケース７と同様に、レーザや焼印で形成してもかまわない。この場合、ケース識別部２００（符号形成領域Ｒ３）の厚みを厚くした分、ケース識別部２００の形成時の熱やレーザ光によるメイン制御基板１３への影響を低減することができる。
【００７８】
なお、本発明は上記した実施形態に限定されるものではなく、その趣旨を逸脱しない限りにおいて、上記したもの以外に種々の変更を行うことが可能であり、例えば、上記した各実施形態では、ベースフランジ部８ｍをカバーフランジ部９ｊに重合するように形成したが、両フランジ部８ｍ，９ｊを、同一平面上で隣り合うように突出形成して係合させる構成であってもよい。この場合、ベース体とカバー体の分割線の一部を成す両フランジ部の境界線を、両フランジ部８ｍ，９ｊの突出方向に平行な方向に形成することができる。このようにすると、符号形成領域Ｒ１，Ｒ２，Ｒ３を両フランジ部の突出方向に平行な方向に設定してケース識別部２０，３０，２００を形成することができる。
【００７９】
また、上記した各実施形態では、ベースフランジ部８ｍを、カバーフランジ部９ｊのうちの基板収納部７ａの反対側に突出した部分９ｊ１に重合するように形成した場合について説明したが、他の部分９ｊ２，９ｊ３（図８参照）と重合するように突出形成してもかまわない。
【符号の説明】
【００８０】
１…スロットマシン（遊技機）、７…メイン制御基板ケース（制御基板ケース）、７ａ…基板収納部、７ｂ…封印部、８，１１…ベース体、８ｍ，１１ａ…ベースフランジ部、９，１２…カバー体、９ｊ，１２ａ…カバーフランジ部、１０…サブ制御基板ケース（制御基板ケース）、２０，３０，２００…ケース識別部、２０ａ，２０ｂ，３０ａ，３０ｂ，２００ａ，２００ｂ…符号素体、１００，１００ａ…封印機構（封印手段）、９５１〜９５６…破断部、Ｒ１〜Ｒ３…符号形成領域
【図１】
0005890820.tif 000002
【図２】
0005890820.tif 000003
【図３】
0005890820.tif 000004
【図４】
0005890820.tif 000005
【図５】
0005890820.tif 000006
【図６】
0005890820.tif 000007
【図７】
0005890820.tif 000008
【図８】
0005890820.tif 000009
【図９】
0005890820.tif 000010
【図１０】
0005890820.tif 000011
【図１１】
0005890820.tif 000012
【図１２】
0005890820.tif 000013